(57)【特許請求の範囲】
【請求項１】
親機と子機とからなり、前記親機と前記子機との間では、周波数の異なる予め決められた複数のチャンネルから選択した１のチャンネルを通じて無線通信を行うコードレス電話装置であって、
前記子機は、
前記親機から所定のタイミングごとに送信されるタイミング情報を受信する第１の受信手段と、
前記第１の受信手段を通じて受信した前記タイミング情報に基づいて、前記複数のチャンネルの通信状態の確認タイミングが到来したか否かを判別する判別手段と、
前記判別手段で前記確認タイミングが到来したと判別した場合に、前記複数のチャンネルごとの信号を受信する第２の受信手段と、
前記第２の受信手段により受信された前記複数のチャンネルのそれぞれの信号に基づいて、前記複数のチャンネルのそれぞれの通信状態を検知する検知手段と、
通話中にあるときに、前記検知手段により現在使用しているチャンネルよりも通信状態の良いチャンネルが検知された場合に、当該通信状態の良いチャンネルへの切り替えを要求する第１の切替要求を形成して前記親機に送信する第１の要求送信手段と
を備え、
前記親機は、
所定のタイミングごとにタイミング情報を前記子機に送信する第１の送信手段と、
通話中において、前記子機が前記複数のチャンネルのそれぞれの通信状態を検知するタイミングが到来した場合に、通話に使用しているチャンネル以外のチャンネルを通じて通信状態の検知に利用するビーコン信号を送信する第２の送信手段と、
前記子機からの前記第１の切替要求を受信する第１の要求受信手段と、
前記第１の要求受信手段を通じて前記子機からの前記第１の切替要求を受信した場合であって、指示された通信状態の良いチャンネルへの切り替えが可能である場合に、当該チャンネルの切り替え処理を実行する第１の切替手段と
を備えることを特徴とするコードレス電話装置。
【請求項２】
請求項１に記載のコードレス電話装置であって、
前記子機は、通話中において、通話に使用しているチャンネルを通じて伝送されてくる音声データについてのエラー数をカウントするカウント手段と、
前記カウント手段でカウントされたエラー数が閾値を超えた場合に、他のチャンネルへの切り替えを要求する第２の切替要求を形成して前記親機に送信する第２の要求送信手段と
を備え、
前記親機は、
前記子機からの前記第２の切替要求を受信する第２の要求受信手段と、
前記第２の要求受信手段を通じて前記子機からの前記第２の切替要求を受信した場合であって、他のチャンネルへの切り替えが可能である場合に、当該チャンネルの切り替え処理を実行する第２の切替手段と
を備えることを特徴とするコードレス電話装置。
【請求項３】
請求項１または請求項２のいずれかに記載のコードレス電話装置であって、
前記チャンネルにおいて単位通信期間を複数のスロットに分割し、前記親機から前記子機への通信と前記子機から前記親機への通信のそれぞれにおいて、１つずつの前記スロットを用いてＴＤＭＡ（Time Division Multiple Access；時分割多元接続）／ＴＤＤ（Time Division Duplex；時分割複信）方式の無線通信を行うようにしており、
前記親機は、
前記チャンネルごとに前記複数のスロットの利用状況を検知する利用状況検知手段を備え、
前記親機の前記第１、第２の切替手段は、前記利用状況検知手段によって切り替え先のチャンネルにおけるスロットの利用状況が高い場合には、当該チャンネルへの切り替えを行わないようにすることを特徴とするコードレス電話装置。
【請求項４】
請求項１、請求項２または請求項３のいずれかに記載のコードレス電話装置であって、
前記親機から前記子機に送信される前記タイミング情報は、予め決められたタイミングごとにインクリメントされる番号情報であることを特徴とするコードレス電話装置。
【発明の詳細な説明】
【技術分野】
【０００１】
この発明は、親機と子機との間が無線接続されると共に、通話の品質を劣化させることが無いようにする機能が搭載されたコードレス電話装置に関する。
【背景技術】
【０００２】
特許文献１には、親機と子機とからなるコードレス電話装置において、通話中に定在するノイズが少ない通話チャンネルを選択して通話の品質を向上させる技術が開示されている。具体的に特許文献１には、コードレス電話装置において、電源が投入された後であって通話が行われる前の待機時において、利用可能とされた周波数の異なる複数のチャンネルのそれぞれを通じて信号を受信するいわゆるチャンネルのスキャニング処理を行う。このチャンネルのスキャニング処理により、干渉が少ない（受信信号の少ない）チャンネルを把握する。そして、通話の開始時には干渉の少ないチャンネルを選択し、通話を開始する。これにより、ノイズの少ないチャンネルを通じて通話を行うことができるので、通話品質を向上させることができる。
【０００３】
しかしながら、子機を持って移動しながら通話を行うこともあれば、他のコードレス電話装置の子機などの無線端末が近くに移動してくることもある。この場合、周囲に存在する他の無線端末装置により送受される信号の影響を受けて、通話中であっても利用しているチャンネルの電波状況が悪くなることがある。この場合、子機においては、親機から送信されてくる音声パケットのＣＲＣ（Cyclic Redundancy Check）エラーの値が高くなる場合がある。このため、ＣＲＣエラーの値が閾値を超えた場合に、子機は親機に対して別のチャンネルへ移動することを要請し、通話に用いるチャンネルを切り替えることが行われている。
【先行技術文献】
【特許文献】
【０００４】
【特許文献１】特開平５−３０４５００号公報
【発明の概要】
【発明が解決しようとする課題】
【０００５】
上述したように、音声パケットのＣＲＣエラーの値が閾値を超えるような状況下では、通話音声にプチプチとノイズが混入したり、通話音声が途切れたりするなど、通話自体に影響が出てしまう場合があると考えられる。また、近年においては、種々の事業所内に構築されるビジネスホンシステム（ボタン電話システム）にコードレス電話装置を接続することが行われるようになってきている。ビジネスホンシステムは、ＩＰ（Internet Protocol）網や電話網などの広域ネットワークに接続された主装置に対して、複数の内線電話端末を接続して構成するものであり、この内線電話端末にコードレス電話装置が用いられるようになってきている。
【０００６】
日本においては、デジタルコードレス電話の標準規格Ｔ１０１が、一般社団法人電波産業会（ＡＲＩＢ）により、２０１１年に策定され、その中に、ＤＥＣＴ（Digital Enhanced Cordless Telecommunication）規格の技術内容が含まれている。そして、ＤＥＣＴ規格のコードレス電話装置が、ビジネスホンシステムでも用いられるようになってきている。
【０００７】
デジタルコードレス電話のＤＥＣＴ規格においては、親機から子機への送信を行う場合の通信方式は時分割多重方式を使用する時分割複信方式であること、子機から親機への送信を行う場合の通信方式は時分割多元接続方式を使用する時分割複信方式であること、周波数は１．９ＧＨｚ帯を使用すること、チャンネル数は最大５チャンネルであること、などが定められている。
【０００８】
そして、ＤＥＣＴ規格においては、符号化データの、各チャンネルＣｈ１〜Ｃｈ５における１フレームは、図９に示すように、２４スロットからなるものとされ、前半の１／２フレームの１２スロットＳ０〜Ｓ１１は、親機から子機へのダウンリンクに用いられ、後半の１／２フレームの１２スロットＳ１２〜Ｓ２３は、子機から親機へのアップリンクに用いられる。そして、各スロットは、制御データを伝送するＡフィールドと音声データを伝送するＢフィールドとなどが設けられた構成を有する。
【０００９】
このように、ＤＥＣＴ規格のコードレス電話装置においても、利用可能な５チャンネルの中から適切なチャンネルを選択する必要があり、通話中におけるチャンネルの切り替えを、通話の品質が劣化する前に行えるようにすることが望まれている。
【００１０】
以上のことに鑑み、この発明は、親機と子機との間で複数のチャンネルが利用可能なコードレス電話装置において、通話の品質の劣化が使用者に認識される前に、チャンネルを自動的に替えることにより、通話の品質を劣化させないようにすることを目的とする。
【課題を解決するための手段】
【００１１】
上記課題を解決するため、請求項１に記載の発明のコードレス電話装置は、
親機と子機とからなり、前記親機と前記子機との間では、周波数の異なる予め決められた複数のチャンネルから選択した１のチャンネルを通じて無線通信を行うコードレス電話装置であって、
前記子機は、
前記親機から所定のタイミングごとに送信されるタイミング情報を受信する第１の受信手段と、
前記第１の受信手段を通じて受信した前記タイミング情報に基づいて、前記複数のチャンネルの通信状態の確認タイミングが到来したか否かを判別する判別手段と、
前記判別手段で前記確認タイミングが到来したと判別した場合に、前記複数のチャンネルごとの信号を受信する第２の受信手段と、
前記第２の受信手段により受信された前記複数のチャンネルのそれぞれの信号に基づいて、前記複数のチャンネルのそれぞれの通信状態を検知する検知手段と、
通話中にあるときに、前記検知手段により現在使用しているチャンネルよりも通信状態の良いチャンネルが検知された場合に、当該通信状態の良いチャンネルへの切り替えを要求する第１の切替要求を形成して前記親機に送信する第１の要求送信手段と
を備え、
前記親機は、
所定のタイミングごとにタイミング情報を前記子機に送信する第１の送信手段と、
通話中において、前記子機が前記複数のチャンネルのそれぞれの通信状態を検知するタイミングが到来した場合に、通話に使用しているチャンネル以外のチャンネルを通じて通信状態の検知に利用するビーコン信号を送信する第２の送信手段と、
前記子機からの前記第１の切替要求を受信する第１の要求受信手段と、
前記第１の要求受信手段を通じて前記子機からの前記第１の切替要求を受信した場合であって、指示された通信状態の良いチャンネルへの切り替えが可能である場合に、当該チャンネルの切り替え処理を実行する第１の切替手段と
を備えることを特徴とする。
【００１２】
請求項１に記載の発明のコードレス電話装置によれば、親機と子機とは複数のチャンネルから選択した１のチャンネルを通じて無線通信を行う。子機では、第１の受信手段により親機から所定のタイミングごとに送信されるタイミング情報が受信され、判別手段により例えばタイミング情報に含まれる番号情報などに基づいて、複数のチャンネルのそれぞれの通信状態の確認タイミングが到来したか否かが判別される。判別手段により当該確認タイミングが到来したと判別された場合には、第２の受信手段により複数のチャンネルのそれぞれを通じて伝送されている信号が受信される。そして、第２の受信手段で受信された複数のチャンネルのそれぞれ信号に基づいて、検知手段により、複数のチャンネルのそれぞれの通信状態が検知される。検知手段により、現在使用中のチャンネルよりも通信状態の良いチャンネルの存在が検知されると、第１の要求送信手段により、当該通信状態の良いチャンネルへの切り替えを要求する第１の切替要求が形成され、親機に送信される。
【００１３】
一方、親機では、第１の送信手段により、所定のタイミングごとにタイミング情報が子機に対して送信される。また、子機に送信したタイミング情報に応じて通話中に子機において複数のチャンネルのそれぞれの通信状態を検知するタイミングが到来した場合には、第２の送信手段により、通話に使用しているチャンネル以外のチャンネルを通じてビーコン信号が送信される。この後、第１の要求受信手段を通じて、子機からの第１の切替要求を受信するようにされ、子機からの第１の切替要求が受信された場合であって、指示された通信状態の良いチャンネルへの切り替えが可能である場合に、第１の切替手段によって、通信状態の良いチャンネルへの切り替え処理が実行される。
【００１４】
このように、親機から子機へのタイミング情報は、親機と子機との間で複数のチャンネルの通信状態の確認処理を行うタイミングを合わせるための信号（同期信号）として用いられる。これにより、親機からのビーコン信号の送信タイミングと、子機でのビーコン信号等を用いた各チャンネルの通信状態の確認処理の実行タイミングとを合わせることができる。そして、通話に使用中のチャンネルよりも通信状態の良いチャンネルが見つかった場合には、そのチャンネルへの切り替えを子機から親機に要請し、通話中において、通話品質が劣化する前に通話に使用するチャンネルの変更を実現できる。
【発明の効果】
【００１５】
この発明によれば、親機と子機との間で複数のチャンネルが利用可能なコードレス電話装置において、通話の品質の劣化が使用者に認識される前に、チャンネルを自動的に替えることにより、通話の品質を劣化させないようにできる。
【図面の簡単な説明】
【００１６】
【図１】この発明による電話システムの第１の実施形態の全体の概要を説明するためのブロック図である。
【図２】この発明による電話システムの第１の実施形態の一部を構成する主装置の詳細構成例を示すブロック図である。
【図３】この発明による電話通信システムの第１の実施形態の一部を構成する親機の詳細構成例を示すブロック図である。
【図４】この発明による電話システムの第１の実施形態の一部を構成する子機の詳細構成例を示すブロック図である。
【図５】親機ＢＳ１と子機ＨＳ１とが協働して行うチャンネル切り替え処理の詳細を説明するための図である。
【図６】図５に続く図である。
【図７】親機ＢＳ１で行われる処理を説明するためのフローチャートである。
【図８】子機ＨＳ１で行われる処理を説明するためのフローチャートである。
【図９】ＤＥＣＴ規格の通信方式を説明するための図である。
【発明を実施するための形態】
【００１７】
以下、図を参照しながら、この発明のコードレス電話装置の一実施の形態について説明する。以下に説明する実施の形態においては、この発明を種々の企業の事務所などに形成されるいわゆるビジネスホンシステム（ボタン電話システム）と呼ばれる電話システムに適用した場合を例にして説明する。
【００１８】
［電話システムの構成例］
図１は、この実施形態の電話システム１０の全体の構成例を示すブロック図である。この例の電話システム１０においては、上位装置の例としての主装置１に対して、内線電話装置として、この発明の一実施の形態が適用された複数のコードレス電話装置２１、２２、・・・、２ｎ（ｎは２以上の整数。以下同じ）が接続されている。コードレス電話装置２１〜２ｎのそれぞれは、親機としてのベースセットＢＳ１、ＢＳ２、・・・、ＢＳｎのそれぞれと、子機としてのハンドセットＨＳ１、ＨＳ２、・・・、ＨＳｎのそれぞれとからなり、親機ＢＳ１〜ＢＳｎのそれぞれと、子機ＨＳ１〜ＨＳｎのそれぞれとは、無線接続される。
【００１９】
なお、親機ＢＳ１〜ＢＳｎのそれぞれに対しては、複数の子機を無線接続することも可能であるが、この例では、１台の親機に対して、１台の子機が接続される構成とされている。また、図示は省略するが、主装置１に接続される内線電話装置としては、コードレス電話装置２１、２２、・・・、２ｎのみではなく、通常のビジネスホンと同様に、デジタルボタン電話端末も接続することも可能である。
【００２０】
そして、この実施形態では、コードレス電話装置２１〜２ｎの親機ＢＳ１〜ＢＳｎのそれぞれと、子機ＨＳ１〜ＨＳｎのそれぞれとの間の無線接続は、前述したデジタルコードレス電話のＤＥＣＴ規格（方式）を用いたＴＤＭＡ／ＴＤＤ方式により行うようにしている。
【００２１】
主装置１は、１又は複数の電話回線Ｌ１〜Ｌｍ（ｍは１以上の整数）を収容可能である。そして、コードレス電話装置２１〜２ｎのそれぞれの親機ＢＳ１〜ＢＳｎが、この主装置１に接続されている。図１の例では、親機ＢＳ１〜ＢＳｎと主装置１とは有線で接続されているが、無線であってもよい。主装置１は、複数のコードレス電話装置２１〜２ｎについての呼制御及び回線交換制御、その他のビジネスホンとしての制御を行う。
【００２２】
コードレス電話装置２１〜２ｎの親機ＢＳ１〜ＢＳｎのそれぞれは、ＤＥＣＴ規格のデジタルコードレス電話の単位通信期間である１フレーム（１０ミリ秒（ｍｓ））の周期の同期信号としてのフレーム同期信号を生成し、その生成したフレーム同期信号に基づいて、ＤＥＣＴ規格を用いたＴＤＭＡ／ＴＤＤ方式の無線通信を子機ＨＳ１〜ＨＳｎとの間で実行する。
【００２３】
そして、この実施形態のコードレス電話装置２１〜２ｎでは、親機と子機とが協働することによって、子機において所定のタイミングごとに通信に使用可能な５つのチャンネルの全てについて通信状態を確認するためのいわゆるスキャニング処理を実行する。通話中において通話品質が劣化する前であっても、通信状態のより良いチャンネルへの切り替えを可能にすることによって、通話品質の劣化を防止するためである。
【００２４】
通常、１つのチャンネルの通信状態を確認するためには、２０ミリ秒提示の時間が必要であり、５チャンネルのそれぞれについて順番に通信状態の確認処理を行った場合には１００ミリ秒の時間が必要になる。しかし、スキャニングの実施頻度が高いと消費電力の増加に繋がる。そこで、この実施形態のコードレス電話装置２１〜２ｎでは、１０秒周期でチャンネルのスキャニング処理を実行する。このため、親機ＢＳ１〜ＢＳｎのそれぞれは、１６０ミリ秒周期でタイミング情報としてＤＥＣＴ規格の通信方式で用いられているマルチフレーム番号を子機に送信する。
【００２５】
マルチフレーム番号は、１６０ミリ秒ごとに１インクリメントされるものである。したがって、マルチフレーム番号の値が６２増えるごとに９９２０ミリ秒経過したことが把握できる。そして、チャンネルのスキャニング処理には１００ミリ秒程度の時間が掛かるので、マルチフレーム番号が６２増えるごとにチャンネルのスキャニング処理を行うことによって、ほぼ１０秒に１回の周期で、チャンネルのスキャニング処理を行える。また、この１０秒の周期（マルチフレーム番号が６２増えるごとの周期）は、親機ＢＳ１〜ＢＳｎにおいても把握できる。
【００２６】
そこで、子機ＨＳ１〜ＨＳｎにおいてチャンネルのスキャニング処理を実行するタイミングで、対応する親機ＢＳ１〜ＢＳｎのそれぞれが通話中以外のチャンネルでビーコン信号を送信する。これにより、親機ＢＳ１〜ＢＳｎからのビーコン信号の送信タイミングと、対応する子機ＨＳ１〜ＨＳｎでのチャンネルスキャニング処理の実行タイミングとの同期を合わせることが可能となり、適切に各チャンネルの通信状態を把握できる。そして、通信状態の良好なチャンネルへの切り替えを実現できる。
【００２７】
なお、この実施形態のコードレス電話装置２１〜２ｎにおいては、上述したようなチャンネルのスキャニング処理に応じた通話チャンネルの切り替え処理に加えて、ＣＲＣエラー値が閾値を超えた場合に、通話チャンネルの切り替え処理を実施する機能も備えている。以下に、この実施形態の電話システム１０を構成する主装置１、親機ＢＳ１〜ＢＳｎ、子機ＨＳ１〜ＨＳｎのそれぞれの構成例について説明する。
【００２８】
［主装置１の構成例；図２］
図２は、主装置１の構成例を示すブロック図である。図２に示すように、主装置１は、電話回線Ｌ１〜Ｌｍが接続される回線インターフェース１１と、コンピュータを搭載して、主装置１の全体を制御するための制御回路１２と、回線ＬＳＩ（Large  Scale  Integrated  Circuit）部１３と、基準発振器１４とを備えて構成されている。
【００２９】
回線インターフェース１１は、制御回路１２からの制御により、回線Ｌ１〜Ｌｍからの音声信号（受話音声信号）は、回線ＬＳＩ部１３に供給し、回線からの呼制御信号などの制御信号は、制御回路１２に供給する。また、回線インターフェース１１は、制御回路１２からの制御により、回線ＬＳＩ部１３からの音声信号（送話音声信号）は、回線Ｌ１〜Ｌｍを通じて相手方に送信し、制御回路１２からの呼制御信号などの制御信号も、回線Ｌ１〜Ｌｍを通じて相手方に送信する。
【００３０】
回線ＬＳＩ部１３は、ｎ個の内線電話装置に対応して、ｎ個の内線処理回路１３１，１３２，・・・，１３ｎと、タイミング信号生成部１３０を備える。タイミング信号生成部１３０には、水晶振動子を用いた高精度の基準発振器１４からの基準クロック信号から伝送用クロック信号ＣＫ及び多重化／分割化用タイミング信号ＴＭを生成し、ｎ個の内線処理回路１３１〜１３ｎに供給する。
【００３１】
ｎ個の内線処理回路１３１〜１３ｎは、全く同一の構成を備えるもので、それぞれ、音声信号処理部３１と、制御信号処理部３２と、多重化／分割化処理部３４とからなる。音声信号処理部３１は、回線インターフェース１１に接続されると共に、多重化／分割化処理部３４に接続されており、回線インターフェース１１からの受話音声信号及び多重化／分割化処理部３４からの送話音声信号の処理回路である。この音声信号処理部３１には、タイミング信号生成部１３０からの伝送用クロック信号ＣＫが供給されている。
【００３２】
制御信号処理部３２は、制御回路１２の制御信号入出力端に接続されると共に、多重化／分割化処理部３４に接続されており、発信時及び着信時、また、終話時などにおける呼制御信号などの制御信号（主装置１からコードレス電話装置への制御信号と、コードレス電話装置から主装置１への制御信号の両方）の処理回路である。この制御信号処理部３２にも、タイミング信号生成部１３０からの伝送用クロック信号ＣＫが供給されている。
【００３３】
多重化／分割化処理部３４は、音声信号処理部３１、制御信号処理部３２に接続されると共に、コードレス電話装置２１〜２ｎの親機ＢＳ１〜ＢＳｎのそれぞれに接続される。そして、多重化／分割化処理部３４は、タイミング信号生成部１３０からのタイミング信号ＴＭに基づいて、音声信号処理部３１からの音声信号と、制御信号処理部３２からの制御信号とを多重化（時分割多重）して多重化信号を生成し、その生成した多重化信号を親機ＢＳ１〜ＢＳｎのそれぞれに供給する。
【００３４】
また、多重化／分割化処理部３４は、タイミング信号生成部１３０からのタイミング信号ＴＭに基づいて、親機ＢＳ１〜ＢＳｎのそれぞれからの多重化信号を音声信号と制御信号とに分割して、音声信号は音声信号処理部３１に、制御信号は制御信号処理部３２に、それぞれ供給する。なお。多重化／分割化処理部３４は、送出する信号のパケット化処理及び受信した信号のパケット分割処理も行うことができるものである。
【００３５】
また、図示しないが、主装置１には、アドレス管理部も接続されている。アドレス管理部は、主装置１に接続されているコードレス電話装置２１〜２ｎの内線番号と内線処理回路１３１〜１３ｎのそれぞれとの対応を記憶管理する。この実施形態の電話システム１０においては、主装置１にコードレス電話装置２１〜２ｎのいずれかが接続された時に、そのコードレス電話装置の親機は、主装置１に対して接続要求を送る。
【００３６】
主装置１は、そのコードレス電話装置の親機からの接続要求を制御信号として受けた内線処理回路が内線処理回路１３１〜１３ｎの内のいずれであるかを検知することにより、コードレス電話装置が接続された内線処理回路を検知する。そして、制御回路１２は、設置工事者や管理者等により設定された内線番号、あるいは自動的に設定された内線番号と、コードレス電話装置が接続された内線処理回路の識別情報とを対応付けてアドレス管理部に登録する。
【００３７】
このアドレス管理部の情報に基づいて、主装置１に接続されたコードレス電話装置の動作状況などを適切に把握することができると共に、主装置１に接続されたコードレス電話装置のそれぞれを適切に制御できる。
【００３８】
［コードレス電話装置２１〜２ｎの構成例］
複数個のコードレス電話装置２１〜２ｎの親機ＢＳ１〜ＢＳｎ及び子機ＨＳ１〜ＨＳｎのそれぞれは、全て同じ構成を備える。そこで、以下の説明では、コードレス電話装置２１の親機ＢＳ１及び子機ＨＳ１の場合を例にとって、親機及び子機の構成例を説明する。
【００３９】
＜親機の構成例；図３＞
図３は、親機ＢＳ１の構成例を示すブロック図である。この図３に示すように、親機ＢＳ１は、親機ＢＳ１の全体を制御するための制御回路４１と、回線ＬＳＩ部４２と、無線通信回路４４と、発振器４５及び４６とを備えて構成されている。制御回路４１は、コンピュータを搭載して構成されている。そして、制御回路４１は、この親機ＢＳ１における呼制御などの制御を行う機能を備える。
【００４０】
回線ＬＳＩ部４２は、主装置１との間で音声信号及び制御信号のやり取りをするための回路であり、分割化／多重化処理部４２１と、制御信号処理部４２２と、音声信号処理部４２３と、ＰＬＬ（Phase locked Loop）部４２５とからなる。ＰＬＬ部４２５には、発振器４５からの基準周波数の発振信号が供給されると共に、主装置１からの多重化信号が供給される。この例では、発振器４５の発振信号の周波数は、例えば２０４８ＭＨｚ（０．４８８ナノ秒（ｎｓ））とされている。
【００４１】
ＰＬＬ部４２５は、主装置１からの多重化信号から、いわゆるセルフクロッキングにより、主装置１のタイミング信号生成部からのクロック信号ＣＫの成分を抽出し、その抽出したクロック信号ＣＫ成分と発振器４５からの発振信号とを位相比較して、その比較結果に基づいて、発振器４５の発振信号から、クロック信号ＣＫ成分に同期する親機ＢＳ１のシステムクロック信号ＳＣＫを生成する。
【００４２】
そして、ＰＬＬ部４２５は、生成したシステムクロック信号ＳＣＫを分割化／多重化処理部４２１、制御信号処理部４２２、音声信号処理部４２３のそれぞれに、信号処理用クロック信号として供給する。
【００４３】
分割化／多重化処理部４２１は、主装置１に接続されると共に、制御信号処理部４２２、音声信号処理部４２３に接続される。そして、分割化／多重化処理部４２１は、主装置１からの多重化信号から制御信号と音声信号を分割して、制御信号は制御信号処理部４２２に、音声信号は音声信号処理部４２３に、それぞれ供給する。また、分割化／多重化処理部４２１は、制御信号処理部４２２からの制御信号と、音声信号処理部４２３からの音声信号とを多重化して多重化信号を生成し、その生成した多重化信号を主装置１に供給する。なお。分割化／多重化処理部４２１は、送出する信号のパケット化処理及び受信した信号のパケット分割処理も行うことができるものである。
【００４４】
制御信号処理部４２２は、制御回路４１の制御信号入出力端に接続されると共に、分割化／多重化処理部４２１に接続されており、発信時及び着信時、また、終話時などにおける呼制御信号などの制御信号（主装置１からコードレス電話装置２１への制御信号と、コードレス電話装置２１から主装置１への制御信号の両方）の処理回路である。
【００４５】
音声信号処理部４２３は、無線通信回路４４に接続されると共に、分割化／多重化処理部４２１に接続されており、無線通信回路４４からの子機ＨＳ１から受信した受話音声信号及び分割化／多重化処理部４２１からの送話音声信号の処理回路である。
【００４６】
次に、無線通信回路４４について説明する。この無線通信回路４４は、制御部４４１と、ＴＤＭＡ変復調部４４２と、無線通信部４４３とを備えて構成されている。無線通信部４４３は、主に子機ＨＳ１との間で、無線通信を行うための回路部である。制御部４４１は、ＴＤＭＡ変復調部４４２及び無線通信部４４３に接続されると共に、制御回路４１に接続されている。制御部４４１は、この無線通信回路４４の全体の動作を制御すると共に、制御回路４１から得た制御信号に基づく制御信号をＴＤＭＡ変復調部４４２に供給する。
【００４７】
ＴＤＭＡ変復調部４４２は、制御部４４１及び回線ＬＳＩ部４２の音声信号処理部４２３に接続されると共に、無線通信部４４３に接続されており、制御部４４１からの制御信号と音声信号処理部４２３からの音声信号を子機ＨＳ１に送信するために変調を行う。このＴＤＭＡ変復調部４４２で変調された信号は、無線通信部４４３を通じて子機ＨＳ１に送信される。
【００４８】
また、ＴＤＭＡ変復調部４４２は、無線通信部４４３で受信された子機ＨＳ１からの受信信号から、音声信号及び制御信号を復調し、復調した音声信号は音声信号処理部４２３に供給し、復調した制御信号は、制御部４４１に供給する。そして、ＴＤＭＡ変復調部４４２は、ＰＬＬ部４４２１を備える。ＰＬＬ部４４２１には、発振器４６からの発振信号が供給される。ＰＬＬ部４４２１は、発振器４６の発振信号から、フレーム同期信号ＦＬに同期するタイミング信号及びクロック信号を生成する。
【００４９】
ＴＤＭＡ変復調部４４２は、フレーム同期信号ＦＬに同期するタイミング信号及びクロック信号を用いて、選択されたチャンネルの使用可能となるダウンリンクでのスロットの１つに相当する期間で子機ＨＳ１への送信信号を生成すると共に、当該チャンネルのアップリンクでのスロットの１つを用いて、子機ＨＳ１からの受信信号の処理を行うようにする。
【００５０】
さらに、ＴＤＭＡ変復調部４４２には、ＭＦ番号送信部４４２２と、ビーコン送信部４４２３とを備えている。ＭＦ番号は、マルチフレーム番号略称である。そして、ＭＦ番号送信部４４２２は、制御部４４１の制御の下、上述もしたように、１６０ミリ秒ごとに１インクリメントされるマルチフレーム番号を、同じタイミングで子機ＨＳ１に対して送信する処理を行う。すなわち、ＭＦ番号送信部４４２２は、制御部４４１の制御に基づき、１６０ミリ秒周期でマルチフレーム番号を子機ＨＳ１に対して送信する処理を行う。
【００５１】
ビーコン送信部４４２３は、制御部４４１の制御に基づき、通話中において、子機においてチャンネルのスキャニング処理を実行するタイミングで、通話に用いているチャンネル以外の４つのチャンネルを通じてビーコン信号を送信する処理を行う。より具体的には、例えば、子機ＨＳ１に対して最初のマルチフレーム番号の送信を基準にし、マルチフレーム番号が６２インクリメントされるごとに、ビーコン送信部４４２３は、通話に用いているチャンネル以外の４つのチャンネルを通じてビーコン信号を送信する処理を行う。
【００５２】
そして、子機ＨＳ１からの通話に用いているチャンネルの切替要求を、無線通信部４４３とＴＤＭＡ変復調部４４２とを通じて制御部４４１が受信したときには、制御部４４１がチャンネルを切り替えるように子機ＨＳ１に指示してチャンネルの切り替えを行う。このように、制御部４４１は、チャンネルの切替手段としての機能を有する。
【００５３】
なお、親機ＢＳ１においても、ＴＤＭＡ変復調部４４２と制御部４４１が機能し、各チャンネルの各スロットの通信状態を把握するためのスキャニング処理を所定のタイミングごとに実行している。このため、子機ＨＳ１からチャンネルの切替要求が送信されてきても、子機ＨＳ１からの要求に応じたチャンネルの通信状態が良くない場合や空きスロットの少ないチャンネルの場合には、制御部４４１は、チャンネルの切り替えを子機ＨＳ１に指示しない。この場合には、その時点において通話に利用されているチャンネルはそのまま利用される。すなわち、通話に用いるチャンネルの切り替えは行われない。
【００５４】
また、この実施形態のコードレス電話装置２１〜２ｎにおいては、従来から行われているＣＲＣエラーの値を用いた通話チャンネルの切り替え処理も、チャンネルのスキャニング処理に応じた通話チャンネルの切り替え処理と並列して行われる。これにより、通話の品質が劣化する前に通話に用いるチャンネルの切り替え処理が行えなかった場合であっても、通話の品質が劣化した場合には、自動的に通話に用いているチャンネルの切り替え処理を行うことができる。
【００５５】
＜子機の構成例；図４＞
図４は、子機ＨＳ１の構成例を示すブロック図である。図４に示すように、子機ＨＳ１は、無線通信回路５１と、制御回路５２と、コーデック回路５３と、発振器５４と、マイクロホン５５と、スピーカ５６とを備えて構成されている。マイクロホン５５は送話器を構成し、スピーカ５６は受話器を構成する。
【００５６】
無線通信回路５１は、制御部５１１と、ＴＤＭＡ変復調部５１２と、無線通信部５１３とを備えて構成されている。無線通信部５１３は、親機ＢＳ１との間で、無線通信を行うための回路部である。制御部５１１は、ＴＤＭＡ変復調部５１２及び無線通信部５１３に接続されると共に、制御回路５２に接続されている。制御部５１１は、制御回路５２の制御の下、この無線通信回路５１の全体の動作を制御する。
【００５７】
ＴＤＭＡ変復調部５１２は、制御部５１１及び無線通信部５１３に接続されると共に、コーデック回路５３と接続されており、制御部５１１からの制御信号とコーデック回路５３からの音声信号を親機ＢＳ１に送信するために変調を行う。このＴＤＭＡ変復調部５１２で変調された信号は、無線通信部５１３を通じて親機ＢＳ１に送信される。また、ＴＤＭＡ変復調部５１２は、無線通信部５１３で受信された親機ＢＳ１からの受信信号から、音声信号及び制御信号を復調し、復調した音声信号はコーデック回路５３に供給し、復調した制御信号は、制御部５１１に供給する。
【００５８】
そして、ＴＤＭＡ変復調部５１２は、クロック生成用のＰＬＬ部５１２１を備える。このＰＬＬ部５１２１には、発振器５４からの発振信号が供給されると共に、無線通信部５１３からの受信信号の復調信号が供給され、このＰＬＬ部５１２１からは、発振器５４からの発振信号から、受信信号の復調信号のクロック成分に同期したクロック信号が生成される。このＰＬＬ部５１２１からのクロック信号は、ＴＤＭＡ変復調部５１２における処理用クロック信号とされる。
【００５９】
さらに、ＴＤＭＡ変復調部５１２は、図４に示すように、ＭＦ番号抽出部５１２２、ＭＦ番号一致検出部５１２３、スキャン処理部５１２４、ＲＳＳＩ比較部５１２５、エラーカウント部５１２６、チャンネル切替処理部５１２７を備えている。ＭＦ番号抽出部５１２２とＭＦ番号一致検出部５１２３の「ＭＦ番号」は、マルチフレーム番号の略称である。また、ＲＳＳＩは、受信信号強度（Received Signal Strength Indication）の略称である。
【００６０】
ＭＦ番号抽出部５１２２は、上述もしたように、親機ＢＳ１から送信され、無線通信部５１３で受信されるＭＦ番号を抽出し、これをＭＦ番号一致検出部５１２３に通知する処理を行う。ＭＦ番号一致検出部５１２３は、ＭＦ番号抽出部５１２２で抽出された今回受信したＭＦ番号が、チャンネルのスキャニング処理を実行するタイミングを示す値と一致しているか否かを検出する。親機ＢＳ１から子機ＨＳ１に最初に送信されたＭＦ番号が例えば、「０番」であり、これを基準とする場合を考える。この場合、ＭＦ番号一致検出部５１２３は、受信したＭＦ番号が、６２、１２４、１８６、…というように、６２の倍数と一致しているか否かを判別する。そして、ＭＦ番号一致検出部５１２３は、今回受信したＭＦ番号が、チャンネルのスキャニング処理を実行するタイミングを示す値と一致していることを検出した場合には、これをスキャン処理部５１２４に通知する。
【００６１】
スキャン処理部５１２４は、ＭＦ番号一致検出部５１２３から今回受信したＭＦ番号が、チャンネルのスキャニング処理を実行するタイミングを示す値と一致していることの通知を受けた場合に、各チャンネルのＲＳＳＩを順次に検出する処理を行う。すなわち、スキャン処理部５１２４は、無線通信部５１３を通じて受信される各チャンネルの信号に基づいて、チャンネルごとのＲＳＳＩ（受信信号強度）を検出するスキャニング処理を行う。スキャン処理部５１２４で検出された各チャンネルのＲＳＳＩは、ＲＳＳＩ比較部５１２５に通知される。
【００６２】
ＲＳＳＩ比較部５１２５は、スキャン処理部５１２４からの各チャンネルのＲＳＳＩを比較し、現在通話に用いているチャンネルよりもＲＳＳＩが高く、そのＲＳＳＩが閾値以上であるチャンネル（通信状態の良いチャンネル）がある場合に、これを特定する。そして、ＲＳＳＩ比較部５１２５は、特定したチャンネルをチャンネル切替処理部５１２７に通知する。チャンネル切替処理部５１２７は、ＲＳＳＩ比較部５１２５からのＲＳＳＩが閾値以上のチャンネルの通知を受けた場合には、当該チャンネルへの切替要求を形成し、これを無線通信部５１３を通じて親機ＢＳ１に送信する処理を行う。
【００６３】
エラーカウント部５１２６は、通話時において、通話に用いているチャンネルを通じて送信されてくる信号であって、無線通信部５１３を通じて受信した信号のＣＲＣエラーの値を検出する処理を行う。そして、エラーカウント部５１２６は、検出したＣＲＣエラーの値が閾値を超えた場合に、これをチャンネル切替処理部５１２７に通知する。チャンネル切替処理部５１２７は、エラーカウント部５１２６からの当該通知を受けた場合に、通話に用いているチャンネルの切替要求を形成し、これを無線通信部５１３を通じて親機ＢＳ１に送信する処理を行う。
【００６４】
このように、この実施形態の子機ＨＳ１のＴＤＭＡ変復調部５１２は、親機ＢＳ１と同期を合わせて、チャンネルのスキャニング処理を行い、この結果に応じて通話に用いているチャンネルを切り替える機能を備える。さらに、ＴＤＭＡ変復調部５１２は、スキャニング処理に応じたチャンネルの切り替え機能に加えて、ＣＲＣエラーの値に応じたチャンネルの切り替え処理も並行して行うこともできるようになっている。
【００６５】
コーデック回路５３は、ＴＤＭＡ変復調部５１２で復調された音声信号を復号して、アナログ音声信号に変換し、そのアナログ音声信号をスピーカ５６に供給して、受話音声として放音する。また、コーデック回路５３は、マイクロホン５５で収音したアナログ音声信号を符号化して、ＴＤＭＡ変復調部５１２に供給するようにする。
【００６６】
なお、制御回路５２は、この子機ＨＳ１からの発呼時には、発呼時の呼制御信号を、無線通信回路５１を通じて親機ＢＳ１に送信し、また、親機ＢＳ１からの着信時の呼制御信号を受けた時には、着信音をスピーカ５６から放音するなどの処理を行う。
【００６７】
以上の説明は、コードレス電話装置２１の親機ＢＳ１及び子機ＨＳ１についての説明であるが、前述したように、その他のコードレス電話装置２２〜２ｎの親機ＢＳ２〜ＢＳｎ及び子機ＨＳ２〜ＨＳｎについても同様の構成を有するものである。
【００６８】
［親機と子機とが協働して行う通話チャンネルの切り替え処理の詳細］
次に、上述した構成を有する親機ＢＳ１〜ＢＳｎと子機ＨＳ１〜ＨＳｎとが協働して行われる通話チャンネルの切り替え処理について説明する。以下においては、説明を簡単にするため、コードレス電話装置２１を構成する親機ＢＳ１と子機ＨＳ１とが協働して通話チャンネルの切り替え処理を行う場合を例にして具体的に説明する。図５、図６は、親機ＢＳ１と子機ＨＳ１とが協働して行う通話チャンネルの切り替え処理の詳細を説明するための図である。
【００６９】
図５に示すように、コードレス電話装置２１の親機ＢＳ１と子機ＨＳ１とのそれぞれに電源が投入されると（ステップＳ１）、親機ＢＳ１と子機ＨＳ１とのそれぞれにおいて、無線接続処理が実行される（ステップＳ２）。このステップＳ２の無線接続処理は、親機ＢＳ１と子機ＨＳ１とが通信を行って、通信に使用するチャンネルと当該チャンネル内に設けられるスロットのうち通信に用いるスロットとを定め、親機ＢＳ１から子機ＨＳ１に同期信号等の情報の送信を開始する処理である。これにより、親機ＢＳ１と子機ＨＳ１とは着信に応答したり、発信したりすることが可能な待機状態となる（ステップＳ３）。
【００７０】
この後、親機ＢＳ１は、ＭＦ番号送信部４４２２が機能し、１６０ミリ秒周期でマルチフレーム番号（ＭＦ番号）を、特定したチャンネルの特定したスロットを通じて送信する処理を行う（ステップＳ４、Ｓ６、Ｓ９）。ＭＦ番号は上述もしたように、１６０ミリ秒ごとに１インクリメントされるものであり、１６０ミリ秒ごとに１インクリメントされたＭＦ番号が親機ＢＳ１から子機ＨＳ１に送信される。これに応じて、子機ＨＳ１では、親機ＢＳ１から送信されてくるＭＦ番号を、無線通信部５１３を通じて受信し、ＭＦ番号抽出部５１２２が受信した信号からＭＦ番号を抽出してＭＦ番号一致検出部５１２３に供給する（ステップＳ４、Ｓ６、Ｓ９）。
【００７１】
そして、子機ＨＳ１では、ＭＦ番号一致検出部５１２３が機能し、今回受信したＭＦ番号が、チャンネルのスキャニング処理を実行するタイミングを示す値と一致しているか否かを検出する（ステップＳ５、Ｓ７、Ｓ１０）。ステップＳ５、Ｓ７、Ｓ１０の処理は、上述もしたように、ＭＦ番号が６２インクリメントされるごとの値か否かを判別する処理である。
【００７２】
ＭＦ番号一致検出部５１２３での検出結果が、ステップＳ５に示したように、今回受信したＭＦ番号とチャンネルのスキャニング処理を実行するタイミングを示す値とが一致していないと検出された場合には、子機ＨＳ１では次のＭＦ番号を受信するのを待つ。これに対して、ステップＳ７、Ｓ１０に示したように、今回受信したＭＦ番号とチャンネルのスキャニング処理を実行するタイミングを示す値とが一致していると検出されたとする。この場合には、子機ＨＳ１では、スキャン処理部５１２４が機能して、待機状態における処理とは関係なく、いわゆるバックグランドで、この実施形態の場合には使用可能とされた５つのチャンネルにおけるＲＳＳＩ（受信信号強度）を検出する処理を行う（ステップＳ８、Ｓ１１）。
【００７３】
このようにして、待機状態にあるコードレス電話装置２１の親機ＢＳ１と子機ＨＳ１とにおいては、スキャニング処理の実行タイミングの同期を合わせるようにしている。この後、図６に示すように、子機ＨＳ１を通じて着信に応答したり、子機ＨＳ１から発信したりして、通話を開始したとする（ステップＳ１２）。この場合、親機ＢＳ１と子機ＨＳ１との間では、通話に用いるチャンネルとスロットが特定され、そのチャンネルとスロットを通じて通話が行われる。この例では、図１２のステップＳ１２に示したように、チャンネルＣｈＸが通話に使用するようにされたとする。
【００７４】
そして、通話開始後においても、親機ＢＳ１は、１６０ミリ秒周期でＭＦ番号を子機ＨＳ１に送信する（ステップＳ１３、Ｓ１５）。これに応じて、子機ＨＳ１では、親機ＢＳ１から送信されてくるＭＦ番号を、無線通信部５１３を通じて受信し、ＭＦ番号抽出部５１２２が受信した信号からＭＦ番号を抽出してＭＦ番号一致検出部５１２３に供給する（ステップＳ１３、Ｓ１５）。
【００７５】
そして、子機ＨＳ１では、ＭＦ番号一致検出部５１２３が機能し、今回受信したＭＦ番号が、チャンネルのスキャニング処理を実行するタイミングを示す値と一致しているか否かを検出する（ステップＳ１４、Ｓ１６）。ＭＦ番号一致検出部５１２３での検出結果が、ステップＳ１４に示したように、今回受信したＭＦ番号とチャンネルのスキャニング処理を実行するタイミングを示す値とが一致していないと検出された場合には、子機ＨＳ１では次のＭＦ番号を受信するのを待つ。
【００７６】
さらに、通話中において、親機ＢＳ１は、子機においてチャンネルのスキャニング処理を実行するタイミングで、通話に用いているチャンネル以外の４つのチャンネルを通じてビーコン信号を送信する（ステップＳ１７）。このステップＳ１７の処理は、制御部４４１の制御の下、ビーコン送信部４４２３が機能して行われる。これに対応し、ステップＳ１６に示したように、今回受信したＭＦ番号とチャンネルのスキャニング処理を実行するタイミングを示す値とが一致していると検出されたとする。この場合には、子機ＨＳ１では、スキャン処理部５１２４が機能して、いわゆるバックグランドで、この実施形態の場合には使用可能とされた５つのチャンネルにおけるＲＳＳＩ（受信信号強度）を検出する処理を行う（ステップＳ１７）。
【００７７】
すなわち、通話に使用しているチャンネルを通じては通話音声が送受されており、それ以外のチャンネルを通じては、親機よりビーコン信号が送信されて来るので、子機ＨＳ１のスキャン処理部５１２４において、各チャンネルを通じて信号を受信することにより、ＲＳＳＩを適切に計測できるのである。そして、子機ＨＳ１のＲＳＳＩ比較部５１２５において、スキャン処理部５１２４で計測された各チャンネルのＲＳＳＩを比較し、通話に用いているチャンネルよりもＲＳＳＩが高く、かつ、そのＲＳＳＩが閾値よりも高いチャンネルがあれば、そのチャンネルをチャンネル切替処理部５１２７に通知する（ステップＳ１８）。
【００７８】
この場合、チャンネル切替処理部５１２７は、通話に用いるチャンネルをＲＳＳＩ比較部５１２５より通知されたＲＳＳＩが閾値よりも高いチャンネルに切り替える切替要求を形成し、これを親機ＢＳ１に送信する（ステップＳ１９）。上述もしたように、親機ＢＳ１においても、所定のタイミングごとに各チャンネルのスキャニング処理を行っている。そして、親機ＢＳ１は、自機においてのチャンネルのスキャニング処理の結果をも考慮し、子機ＨＳ１からのチャンネルの切替要求に応じたチャンネルに切り替え可能であると判別した場合には、親機ＢＳ１の制御部４４１はチャンネルを切り替える処理を行う。
【００７９】
当該チャンネルを切り替える処理は、子機に対して通話に使用するチャンネルを通知し、そのチャンネルを通じて通話音声等の送受を行うようにする処理である。そして、図６に示した例の場合には、子機ＨＳ１からの切替要求に応じて、親機ＢＳ１は通話に使用するチャンネルをチャンネルＣｈＸからチャンネルＣｈＹに切り替えている（ステップＳ２０）。これにより、ＲＳＳＩが良好なチャンネルを通じて通話を継続させることができる。
【００８０】
このようにして通話に用いるチャンネルを切り替えた後においても、親機ＢＳ１と子機ＨＳ１との間では、同様の処理が繰り返される。すなわち、図６に示すように、親機ＢＳ１は、１６０ミリ秒周期でＭＦ番号を子機ＨＳ１に送信する（ステップＳ２１、Ｓ２３）。これに応じて、子機ＨＳ１では、親機ＢＳ１から送信されてくるＭＦ番号を、無線通信部５１３を通じて受信し、ＭＦ番号抽出部５１２２が受信した信号からＭＦ番号を抽出してＭＦ番号一致検出部５１２３に供給する。
【００８１】
そして、子機ＨＳ１では、ＭＦ番号一致検出部５１２３が機能し、今回受信したＭＦ番号が、チャンネルのスキャニング処理を実行するタイミングを示す値と一致しているか否かを検出する（ステップＳ２２、Ｓ２４）。ＭＦ番号一致検出部５１２３での検出結果が、ステップＳ２２に示したように、今回受信したＭＦ番号とチャンネルのスキャニング処理を実行するタイミングを示す値とが一致していないと検出された場合には、子機ＨＳ１では次のＭＦ番号を受信するのを待つ。
【００８２】
さらに、通話中において、親機ＢＳ１は、子機においてチャンネルのスキャニング処理を実行するタイミングで、通話に用いているチャンネル以外の４つのチャンネルを通じてビーコン信号を送信する（ステップＳ２５）。このステップＳ２５の処理は、制御部４４１の制御の下、ビーコン送信部４４２３が機能して行われる。これに対応し、ステップＳ２４に示したように、今回受信したＭＦ番号とチャンネルのスキャニング処理を実行するタイミングを示す値とが一致していると検出されたとする。この場合には、子機ＨＳ１では、スキャン処理部５１２４が機能して、いわゆるバックグランドで、この実施形態の場合には使用可能とされた５つのチャンネルにおけるＲＳＳＩ（受信信号強度）を検出する処理を行う（ステップＳ２５）。
【００８３】
そして、子機ＨＳ１のＲＳＳＩ比較部５１２５において、スキャン処理部５１２４で計測された各チャンネルのＲＳＳＩを比較し、通話に用いているチャンネルよりもＲＳＳＩが高いチャンネルがあれば、そのチャンネルをチャンネル切替処理部５１２７に通知する（ステップＳ２６）。この場合、チャンネル切替処理部５１２７は、通話に用いるチャンネルをＲＳＳＩ比較部５１２５より通知されたチャンネルに切り替える切替要求を形成し、これを親機ＢＳ１に送信する（ステップＳ２７）。そして、親機ＢＳ１は、自機においてのチャンネルのスキャニング処理に結果をも考慮し、子機ＨＳ１からのチャンネルの切替要求に応じたチャンネルに切り替え可能であると判別した場合には、親機ＢＳ１の制御部４４１はチャンネルを切り替える処理を行う。
【００８４】
このように、この実施形態のコードレス電話装置２１では、待機中から親機ＢＳ１と子機ＨＳ１との間において、親機ＢＳ１からのビーコン信号の送信タイミングと、子機ＨＳ１でのチャンネルのスキャニング処理の実行タイミングとの同期を合わせる。そして、通話中においては、子機ＨＳ１において定期的にチャンネルのスキャニング処理を実行し、通話に使用しているチャンネルよりも、ＲＳＳＩ（受信信号強度）が高く、かつ、そのＲＳＳＩが閾値よりも高いチャンネルが存在している場合に、当該チャンネルへの切り替え処理を行う。
【００８５】
そして、通話中において、子機ＨＳ１を持って移動することにより、他の無線通信機器の近隣に移動したり、逆に、他の無線通信機器がコードレス電話装置２１の近隣に移動して来たりするなどして、使用チャンネルの通信状態が悪化する場合がある。このような場合、ＣＲＣエラーの値の上昇に応じて、通話チャンネルの切り替え処理を行うことが従来から行われている。しかし、この実施形態のコードレス電話装置２１の場合、ＣＲＣエラーの値が閾値を超える前に、通信状態の良いチャンネルの存在が確認できた場合には、その通信状態の良いチャンネルに切り替えることができるので、通話品質を劣化させることが無いようにできる。
【００８６】
もちろん、この実施形態のコードレス電話装置２１においても、ＣＲＣエラーの値に応じた通話チャンネルの切り替え処理も並列して行う。当該機能は、図４に示した子機ＨＳ１のエラーカウント部５１２６とチャンネル切替処理部５１２７との機能により実現できる。したがって、何らかの原因で、急激にＣＲＣエラーの値が高くなってしまった場合には、即座に通話チャンネルの切り替えを行うことができるので、ＣＲＣエラーの値の上昇にも適切に対応できる。
【００８７】
なお、ここでは、コードレス電話装置２１を構成する親機ＢＳ１と子機ＨＳ１とが協働する場合を例にして説明したが、コードレス電話装置２２〜２ｎのそれぞれにおいても同様の処理が行われる。
【００８８】
［親機と子機のそれぞれにおいて行われる処理のまとめ］
次に、この実施形態のコードレス電話装置を構成する親機で行われる処理と子機で行われる処理とのそれぞれについて、フローチャートを参照しながらまとめる。以下においても、説明を簡単にするため、コードレス電話装置２１を構成する親機ＢＳ１で行われる処理と子機ＨＳ１で行われる処理を例にして説明する。
【００８９】
［親機ＢＳ１で行われる処理］
図７は、親機ＢＳ１で行われる処理を説明するためのフローチャートである。図７に示すフローチャートの処理は、電源が投入され、子機ＨＳ１との間で無線接続が確立した後において、制御回路４１の制御に下、制御部４４１において実行される処理である。まず、制御部４４１は、親機ＢＳ１においても、所定のタイミングごとにチャンネルのスキャン処理を開始する（ステップＳ１０１）。これにより、親機ＢＳ１においても、所定のタイミングごとに、各チャンネルの利用状況やノイズの混入状況など、各チャンネルの通信状態全般を把握できる。
【００９０】
そして、制御部４１１は、ＭＦ番号送信部４４２２を制御し、１６０ミリ秒ごとにＭＦ番号を子機ＨＳ１に送信する処理を開始する（ステップＳ１０２）。この後、制御部４１１は、電源をオフする操作が行われたか否かを判別し（ステップＳ１０３）、電源をオフにする操作が行われたと判別したときには、この図７に示す処理を終了し、親機ＢＳ１の電源を落とす処理を行うようにする。ステップＳ１０３の判別処理において、電源をオフにする操作は行われていないと判別したときには、制御部４１１は、自機を通じて通話が行われているか否か（通話中か否か）を判別する（ステップＳ１０４）。
【００９１】
ステップＳ１０４の判別処理において、通話中ではないと判別したときには、制御部４４１は、ステップＳ１０３からの処理を繰り返す。ステップＳ１０４の判別処理において、通話中であると判別したときには、制御部４４１は、１０秒周期が到来したか否か、すなわち、子機ＨＳ１においてのチャンネルのスキャニング処理の実行タイミングが到来したか否かを判別する（ステップＳ１０５）。すなわち、この実施形態において、ステップＳ１０５の処理は、送信対象のＭＦ番号が、前回の子機ＨＳ１においてのチャンネルのスキャニング処理の実行タイミング時のＭＦ番号（基準となるＭＦ番号）から値「６２」だけインクリメントされたものか否かを判別する処理である。
【００９２】
ステップＳ１０５の判別処理において、１０秒周期は到来していないと判別したときには、ステップＳ１０３からの処理を繰り返す。また、ステップＳ１０５の判別処理において、１０秒周期が到来したと判別したときには、制御部４４１は、ビーコン送信部４４２３を制御して、通話に使用しているチャンネル以外のチャンネル（非使用チャンネル）を通じてビーコン信号を送信する処理を行う（ステップＳ１０６）。
【００９３】
この後、制御部４４１は、無線通信部４４３及びＴＤＭＡ変復調部４４２を通じて子機ＨＳ１からの切替要求を受信するようにし（ステップＳ１０７）、切替要求を受信したか否かを判別する（ステップＳ１０８）。ステップＳ１０８の判別処理において、切替要求を受信していないと判別したときには、ステップＳ１０３からの処理を繰り返すようにする。ステップＳ１０８の判別処理において、切替要求を受信したと判別したときには、制御部４４１はチャンネル切り替え処理を実行する（ステップＳ１０９）。
【００９４】
ステップＳ１０９で実行される処理は、自機におけるチャンネルのスキャニング結果を考慮して、子機ＨＳ１から要求されたチャンネルに切り替え可能か否かを判別し、切り替え可能な場合に、通話チャンネルを子機からの要求に応じたチャンネルに切り替える。そして、ステップＳ１０９のチャンネル切り替え処理の後においては、ステップＳ１０３からの処理を繰り返す。このように、親機ＢＳ１は、子機でのチャンネルのスキャニング処理の実行タイミングで、非使用チャンネルを通じてのビーコン信号の送信を行い、子機でのスキャニング処理に応じたチャンネルの切り替え処理を行えるようにしている。
【００９５】
［子機ＨＳ１で行われる処理］
図８は、子機ＨＳ１で行われる処理を説明するためのフローチャートである。図８に示すフローチャートの処理は、電源が投入され、親機ＢＳ１との間で無線接続が確立した後において、制御回路５２の制御に下、制御部５１１において実行される処理である。まず、制御部５１１は、電源をオフする操作が行われたか否かを判別し（ステップＳ２０１）、電源をオフにする操作が行われたと判別したときには、この図８に示す処理を終了して、子機ＨＳ１の電源を落とす処理を行うようにする。
【００９６】
ステップＳ２０１の判別処理において、電源をオフにする操作は行われていないと判別したときには、制御部５１１は、無線通信部５１３及びＴＤＭＡ変復調部５１２を通じて親機ＢＳ１から送信されるＭＦ番号を受信するようにする（ステップＳ２０２）。この後、制御部５１１は、親機ＢＳ１からのＭＦ番号を受信したか否かを判別し（ステップＳ２０３）、受信していないと判別したときには、ステップＳ２０１からの処理を繰り返すようにする。
【００９７】
ステップＳ２０３の判別処理において、親機ＢＳ１からのＭＦ番号を受信したと判別したとする。この場合、まず、制御部５１１は、ＭＦ番号抽出部５１２２を制御して親機ＢＳ１からのＭＦ番号を抽出し、ＭＦ番号一致検出部５１２３を制御して、抽出したＭＤ番号が１０秒周期の到来を示すものか否かを検出する（ステップＳ２０４）。ステップＳ２０４の処理は、受信したＭＦ番号が、前回の子機ＨＳ１においてのチャンネルのスキャニング処理の実行タイミング時のＭＦ番号（基準となるＭＦ番号）から値「６２」だけインクリメントされたものか否かを判別する処理である。この後、制御部５１１は、ステップＳ２０４の検出結果が、１０秒周期の到来を示すものか否を判別する（ステップＳ２０５）。
【００９８】
ステップＳ２０５の判別処理において、１０秒周期は到来していないと判別したときには、ステップＳ２０１からの処理を繰り返す。ステップＳ２０５の判別処理において、１０秒周期が到来したと判別したときには、制御部５１１は、スキャン処理部５１２４を制御して、バックグランドでの各チャンネルのスキャニング処理を実行する（ステップＳ２０６）。ステップＳ２０６の処理では、無線通信部５１３を通じて受信される各チャンネルの信号に基づいて、各チャンネルのＲＳＳＩが検出される。この後、制御部５１１は、自機を通じて通話が行われているか否か（通話中か否か）を判別する（ステップＳ２０７）。
【００９９】
ステップＳ２０７の判別処理において、通話中ではないと判別したときには、制御部５１１は、ステップＳ２０１からの処理を繰り返すようにする。ステップＳ２０７の判別処理において、通話中であると判別したときには、制御部５１１は、ＲＳＳＩ比較部５１２５を制御して、ステップＳ２０６の処理において、スキャン処理部５１２４で検出されたチャンネルごとのＲＳＳＩを比較する処理を行う（ステップＳ２０８）。このステップＳ２０８の処理では、現在通話に用いているチャンネルよりもＲＳＳＩの高く、かつ、そのＲＳＳＩが閾値よりも高い、通信に優位なチャンネル（優位チャンネル）が存在する場合には、その優位チャンネルが検出される。
【０１００】
そして、制御部５１１は、ステップＳ２０８のＲＳＳＩ比較処理において、優位チャンネルが検出されたか否かを判別する（ステップＳ２０９）。ステップＳ２０９の判別処理において、優位チャンネルは検出されていないと判別したときには、制御部５１１はステップＳ２０１からの処理を繰り返す。ステップＳ２０９の判別処理において、優位チャンネルが検出されたと判別したときには、制御部５１１は、当該優位チャンネルへの切替要求を形成し、これを親機ＢＳ１に送信する（ステップＳ２１０）。
【０１０１】
子機ＨＳ１からの当該チャンネル切替要求を受信した親機ＢＳ１では、当該チャンネル切替要求に応じてチャンネルを切り替えることができると判別すると、上述したように、当該チャンネル切替要求に応じたチャンネルへの切替処理が実行される。この場合、親機ＢＳ１から子機ＨＳ１に対してチャンネル切替指示が送信されて来るので、子機ＨＳ１の制御部５１１は、これに応じて通話に用いるチャンネルを切り替える処理を実行し（ステップＳ２１１）、通話を継続させる。
【０１０２】
このように、子機ＨＳ１は、親機ＢＳ１と協働することによって、通話に使用しているチャンネルよりもＲＳＳＩが高く、かつ、そのＲＳＳＩが閾値よりも高い優位なチャンネルが存在する場合には、当該優位なチャンネルを通話に用いるチャンネルとすることができる。すなわち、ＣＲＣエラーの値が高くなる前においても、通話の品質を高品質に保つことができるチャンネルが存在する場合には、通話に用いるチャンネルをそのチャンネルに切り替えることができる。
【０１０３】
なお、この実施形態のコードレス電話装置２１では、上述もしたように、ＣＲＣエラーの値に応じた通話チャンネルの切り替え処理も行う。当該処理は、子機ＨＳ１においては、図８に示した処理の例えばステップＳ２０７において通話中であると判別した場合であって、ＣＲＣエラーの値が閾値以上の場合に、チャンネルの切替要求を送信する処理を行うようにする。
【０１０４】
これに応じて、親機ＢＳ１においては、図７に示した処理のステップＳ１０４において通話中であると判別した場合に、子機ＨＳ１からのチャンネルの切替要求を受信するようにする。そして、子機ＨＳ１からのチャンネルの切替要求を受信した場合に、親機ＢＳ１においてのチャンネルのスキャニング処理に基づいて適切なチャンネルを選択し、当該チャンネルに切り替えるようにすればよい。
【０１０５】
もちろん、図７、図８に示した子機ＨＳ１のチャンネルのスキャニング処理に応じた通話チャンネルの切り替え処理と並列して、ＣＲＣエラーの値に応じた通話チャンネルの切り替え処理を行うようにしてもよい。
【０１０６】
なお、ここでは、コードレス電話装置２１を構成する親機ＢＳ１と子機ＨＳ１の処理を例にして説明したが、コードレス電話装置２２〜２ｎを構成する親機と子機との間でも、同様の処理が行われる。
【０１０７】
［実施の形態の効果］
親機と子機との間で複数のチャンネルが利用可能なコードレス電話装置２１〜２ｎのそれぞれにおいて、通話の品質の劣化が使用者に認識される前に、通話に用いるチャンネルを自動的に替えることにより、通話の品質を劣化させないようにできる。
【０１０８】
また、従来からのＣＲＣエラーの値に応じた通話チャンネルの切り替え処理をも併用することによって、通話に使用しているチャンネルにおける通信状態が急激に悪くなった場合であっても、適切にチャンネルの切り替え処理を実行し、通話の品質を維持できる。
【０１０９】
特に、ビジネスホンシステムを構築する内線電話端末としてコードレス電話装置を用いる場合には、周囲に複数のコードレス電話装置が存在することにより、他のコードレス電話装置の影響を受けて通信状態が悪くなるような状況が生じても、これを適切に回避できる。
【０１１０】
［変形例］
上述した実施の形態では、ほぼ１０秒周期でチャンネルのスキャニング処理を実行するようにしたが、これに限るものではない。例えば、３秒周期、５秒周期、７秒周期など、適宜の周期でチャンネルのスキャニング処理を行うようにできる。このように、スキャニング処理を実行する周期を替える場合には、ＭＦ番号の目的とするカウント値を変えるようにすればよい。例えば、ＭＦ番号を「１８」インクリメントするごとにスキャニング処理を実行するようにすれば、スキャニング処理をほぼ３秒周期で実行できる。また、ＭＦ番号を「３１」インクリメントするごとにスキャニング処理を実行するようにすれば、スキャニング処理をほぼ５秒周期で実行できる。
【０１１１】
また、上述した実施の形態では、ＤＥＣＴ規格の通信方式で用いられている１６０ミリ秒ごとに１インクリメントされるマルチフレーム番号を用いるようにしたが、これに限るものではない。例えば、所定周期でインクリメントされる番号情報を設定し、これを用いるようにできる。また、所定周期で特定の情報を親機から子機に送信し、子機において、当該特定の情報の受信回数をカウントすることにより、スキャニング処理の実行タイミングを特定するようにしてもよい。
【０１１２】
また、ＤＥＣＴ規格の通信方式を用いたコードレス電話装置の場合、例えＲＳＳＩが閾値よりも高いチャンネルが見つかっても、そのチャンネルの空きスロットが少ない場合には、チャンネルの切り替え処理は行わないようにする。このため、親機においては、例えば、無線通信部４４３、ＴＤＭＡ変復調部４４２、制御部４４１が協働して、各チャンネルの受信電界強度だけでなく、各チャンネルに設けられるスロットごとに信号を受信するスロットのスキャニング処理も行い、スロットの空き状況も把握する。そして、子機からのチャンネルの切替要求を受信した場合には、この把握しているスロットの空き情報も考慮して、チャンネルを切り替えるか否かを決定する。このようにすれば、スロットの空き状況も考慮した通話チャンネルの切り替え処理が行えることになり、込み合ったチャンネルを通話に用いないようにできる。
【０１１３】
また、上述した実施の形態では、ＤＥＣＴ規格の通信方式を用いるコードレス電話装置の場合を例にして説明したが、これに限るものではない。親機と子機とが複数の通信チャンネルを切り替えて使用可能な種々の通信方式を採用したコードレス電話装置にこの発明を適用できる。
【０１１４】
また、コードレス電話装置は、専用の親機と子機とからなるものに限るものではなく、例えば、ＰＨＳ（Personal Handy-phone System）の端末装置と通信ができるベース装置（親機）とＰＨＳの端末装置とで構成されるコードレス電話装置にもこの発明を適用できる。
【０１１５】
［その他］
上述した実施の形態の説明から分かるように、子機の第１、第２の受信手段の機能は、子機ＨＳ１の主に無線通信部５１３が実現し、子機の判別手段の機能は、子機ＨＳ１のＭＦ番号抽出部５１２２とＭＦ番号一致検出部５１２３が実現し、子機の検知手段の機能は、子機ＨＳ１のスキャン処理部５１２４及びＲＳＳＩ比較部５１２５が実現し、子機の第１の要求送信手段の機能は、子機ＨＳ１のチャンネル切替処理部５１２７及び無線通信部５１３が実現している。
【０１１６】
一方、親機の第１の送信手段の機能は、親機ＢＳ１のＭＦ番号送信部４４２２及び無線通信部４４３が実現し、親機の第２の送信手段の機能は、親機ＢＳ１のビーコン送信部４４２３及び無線通信部４４３が実現し、親機の第１の要求受信手段の機能は、親機ＢＳ１の無線通信部４４３及びＴＤＭＡ変復調部４４２が実現し、親機の第１の切替手段の機能は、親機ＢＳ１の主に制御部４４１が実現している。
【０１１７】
また、子機のカウント手段の機能は、子機ＨＳ１のエラーカウント部５１２６が実現し、子機の第２の要求送信手段の機能は、子機ＨＳ１の子機ＨＳ１のチャンネル切替処理部５１２７及び無線通信部５１３が実現している。
【０１１８】
また、親機の第２の要求受信手段の機能は、親機ＢＳ１の無線通信部４４３及びＴＤＭＡ変復調部４４２が実現し、親機の第２の切替手段の機能は、親機ＢＳ１の主に制御部４４１が実現している。また、親機の利用状況検知手段の機能は、無線通信部４４３、ＴＤＭＡ変復調部４４２、制御部４４１が協働して実現している。
【符号の説明】
【０１１９】
１…主装置、１１…回線Ｉ／Ｆ、１２…制御回路、１３…回線ＬＳＩ部、１４…基準発振器、２１〜２ｎ…コードレス電話装置、ＢＳ１〜ＢＳｎ…親機、ＨＳ１〜ＨＳｎ…子機、４１…制御回路、４２…回線ＬＳＩ部、４４…無線通信回路、４５、４６…発振器、４４１…制御部、４４２…ＴＤＭＡ変復調部、４４３…無線通信部、４４２１…ＰＬＬ部、４４２２…ＭＦ番号送信部、４４２３…ビーコン送信部、５１…無線通信回路、５２…制御回路、５３…コーデック回路、５４…発振器、５１１…制御部、５１２…ＴＤＭＡ変復調部、５１３…無線通信部、５１２１…ＰＬＬ部、５１２２…ＭＦ番号抽出部、５１２３…ＭＦ番号一致検出部、５１２４…スキャン処理部、５１２５…ＲＳＳＩ比較部、５１２６…エラーカウント部、５１２７…チャンネル切替処理部
【図１】
0006485638.tif 000002
【図２】
0006485638.tif 000003
【図３】
0006485638.tif 000004
【図４】
0006485638.tif 000005
【図５】
0006485638.tif 000006
【図６】
0006485638.tif 000007
【図７】
0006485638.tif 000008
【図８】
0006485638.tif 000009
【図９】
0006485638.tif 000010